(57)【要約】【課題】  子供が登下校時に事件、事故に遭遇した場合に警報を発し警備センターに通報できると共に、防犯装置を携帯する子供の誤操作や予測外の行動に伴って発生するこれら防犯システムの誤報や確認作業を現場まで出動することなく容易に判断でき、防犯システムの誤報や確認作業による無駄な出動を可能な限り少なくする。【解決手段】  登下校する子供ａが携帯する防犯装置１と、警備センターｂに設置されたコンピュータ２とから構成され、前記防犯装置１は携帯電話機能１１、防犯警報機能１２、カメラ機能１３とＧＰＳ機能１４を備え、前記コンピュータ２は、登下校コース判断手段２１、登下校時危険判断手段２２、登下校時同一位置滞在判断手段２３、及び第一次警戒発令手段２４、第二次警戒発令手段２５、第三次警戒発令手段２６とを備えた。【選択図】        図１
2008090602.tif 000002
【特許請求の範囲】
【請求項１】
登下校する子供が携帯する防犯装置と、警備センターに設置されたコンピュータとから構成され、前記防犯装置は、警備センターとの通話のための携帯電話機能と、警報音を発する防犯警報機能と、静止画像又は動画像を撮影するカメラ機能と、位置を確認できるＧＰＳ機能とを備え、前記コンピュータは前記防犯装置の各機能を制御する機能を備えると共に、前記コンピュータは、前記ＧＰＳ機能からの位置情報に基づき前記防犯装置が所定の登下校コースの範囲内か否かを判断する登下校コース判断手段と、前記ＧＰＳ機能からの位置情報に基づき前記防犯装置が登下校時の危険箇所又は不審者情報箇所に接近中か否かを判断する登下校時危険判断手段と、前記ＧＰＳ機能からの位置情報に基づき前記防犯装置が同一位置に一定時間以上滞在しているか否かを判断する登下校時同一位置滞在判断手段と、当該登下校コース判断手段、登下校時危険判断手段、登下校時同一位置滞在判断手段又は前記防犯装置の防犯スイッチによる作動から或いは当該コンピュータへの手動入力からのいずれかの情報に基づき当該コンピュータの画面に前記防犯装置を携帯する子供に関する情報と位置情報を表示させる第一次警戒発令手段と、第一次警戒発令手段からの情報に基づき前記防犯装置を呼び出し且つ前記防犯装置のカメラ機能を作動させて撮影した撮影情報を当該コンピュータに送信させる第二次警戒発令手段と、第二次警戒発令手段に対する前記防犯装置からの一定時間以上非応答時に警備員の出動を発令する第三次警戒発令手段とを備えたことを特徴とする登下校時の防犯システム。
【発明の詳細な説明】
【技術分野】
【０００１】
この発明は、子供が登下校時に事件、事故に遭遇した場合に警報を発すると共に警備センターに通報できるのは勿論のこと、特に、防犯装置を携帯する子供の誤操作や予測外の行動に伴って発生するこれら防犯システムの誤報や確認作業を現場まで出動することなく容易に判断でき、防犯システムの誤報や確認作業による無駄な出動を可能な限り少なくする登下校時の防犯システムに関するものである。
【背景技術】
【０００２】
最近、登下校時の子供に不審人物が悪戯や危害を加えたり、子供を車などで連れ去り別の場所で殺してこれを遺棄する等、痛ましい事件が多発し、その中には未だに解決していない事件もあり、また、交通事故を含めた不慮の事故に子供が遭遇する機会も増えており、登下校時に子供が事件、事故に遭遇する危険性が高まっている。
このようなことから、最近では登下校時の子供に防犯装置などを携帯させ、例えば、不審人物が子供に近づいてきたり、不審人物に子供が襲われそうになったり、子供が連れ去らせられそうになったりして、子供が犯罪に巻き込まれるおそれがある場合に、或いは事故に遭遇した場合に、子供に防犯装置を作動させて周囲に知らせたり、防犯装置に組み込まれている通信機能を利用して警察、警備会社、学校などに緊急連絡したり、防犯装置にＧＰＳ（Global Positioning System）機能を付加してこれを所持する子供の居場所を常時追跡確認して防犯を図る等、各種の防犯システムが開発されている。
【特許文献１】特開２００６−５４６２３
【特許文献２】特開２００６−１０７４０５
【発明の開示】
【発明が解決しようとする課題】
【０００３】
しかしながら、防犯装置を携帯している子供の中にはこれを正しく扱うことができずに誤って或いは悪戯で防犯装置を作動させる誤操作による誤報もあり、また、登下校時に寄り道や遊んだりする子供の予想外の行動によって防犯装置から送られてくる情報を的確に判断できず確認作業が必要になることもあり、これらの誤報や確認作業による無駄な出動や警備センターでの無駄な作業が多発している。
そして、誤報や確認作業による出動で、実際の事件や事故のときに必要な人員が確保できず、事件事故発生現場に直ちに出動できないこともあり、また、誤報や確認作業によって警備センターでの適切な運用が邪魔されたりして、誤報や確認作業の多発に伴い余分な人員が必要となっている。
このように、誤報や確認作業の多発に伴って、人員の適切な配備や迅速な出動を困難にし、また防犯システムの適切な運用を困難にしており、その結果、事件事故現場に出動するための余分な人員が必要となり、また警備センターでは警備するための余分な人員や機器類が必要となる等、余分なバックアップ体制が要求されることになり、防犯システムのコスト増を招いている。
【０００４】
この発明は、上記のような課題に鑑み、その課題を解決すべく創案されたものであって、その目的とするところは、子供が登下校時に事件、事故に遭遇した場合には警報を発すると共に警備センターに通報できるのは勿論のこと、防犯システムの誤報や確認作業を現場まで出動することなく容易に判断でき、防犯システムの誤報や確認作業による無駄な出動を可能な限り少なくして、人員の適切な配備や迅速な出動を可能にし、また防犯システムの適切な運用を可能にして、誤報や確認作業の多発に伴う防犯システムのコスト増を回避することのできる登下校時の防犯システムを提供することにある。
【課題を解決するための手段】
【０００５】
以上の目的を達成するために、この発明は、登下校する子供が携帯する防犯装置と、警備センターに設置されたコンピュータとから構成され、前記防犯装置は、警備センターとの通話のための携帯電話機能と、警報音を発する防犯警報機能と、静止画像又は動画像を撮影するカメラ機能と、位置を確認できるＧＰＳ機能とを備え、前記コンピュータは前記防犯装置の各機能を制御する機能を備えると共に、前記コンピュータは、前記ＧＰＳ機能からの位置情報に基づき前記防犯装置が所定の登下校コースの範囲内か否かを判断する登下校コース判断手段と、前記ＧＰＳ機能からの位置情報に基づき前記防犯装置が登下校時の危険箇所又は不審者情報箇所に接近中か否かを判断する登下校時危険判断手段と、前記ＧＰＳ機能からの位置情報に基づき前記防犯装置が同一位置に一定時間以上滞在しているか否かを判断する登下校時同一位置滞在判断手段と、当該登下校コース判断手段、登下校時危険判断手段、登下校時同一位置滞在判断手段又は前記防犯装置の防犯スイッチによる作動から或いは当該コンピュータへの手動入力からのいずれかの情報に基づき当該コンピュータの画面に前記防犯装置を携帯する子供に関する情報と位置情報を表示させる第一次警戒発令手段と、第一次警戒発令手段からの情報に基づき前記防犯装置を呼び出し且つ前記防犯装置のカメラ機能を作動させて撮影した撮影情報を当該コンピュータに送信させる第二次警戒発令手段と、第二次警戒発令手段に対する前記防犯装置からの一定時間以上非応答時に警備員の出動を発令する第三次警戒発令手段とを備えた手段よりなるものである。
【発明の効果】
【０００６】
以上の記載より明らかなように、この発明に係る登下校時の防犯システムによれば、コンピュータの登下校コース判断手段により防犯装置を携帯した子供が登下校コースの範囲内から外れる場合、登下校時危険判断手段により防犯装置を携帯した子供が登下校時に危険箇所、不審者情報箇所に近づく場合、登下校時同一位置滞在判断手段により防犯装置を携帯した子供が登下校時に塾などの特定場所以外に同じ場所に一定時間以上滞在する場合、防犯装置のスイッチが入れられた場合、また保護者又は学校から連絡があった場合にはそれぞれ防犯装置の携帯電話機能と防犯警報機能を通じて呼びかけて連絡をとることにより、子供が事件事故にした際には迅速に対応できるのは勿論、事件事故に遭遇するのを可能な限り減らすことができると共に、防犯装置のカメラ機能を通じて画像情報が送られてくることにより、警備センターの警備員は事件事故の発生の有無を出動することなく容易に確認できることになり、警備会社は確認のための無駄な出動を回避することができる。
これにより、子供が事件事故にした際には迅速に対応できるのは勿論、事件事故に遭遇するのを可能な限り減らすことができると共に、防犯システムの誤報や確認作業を現場まで出動することなく容易に判断でき、防犯システムの誤報や確認作業による無駄な出動を可能な限り少なくして、人員の適切な配備や迅速な出動を可能にし、また防犯システムの適切な運用を可能にして、誤報や確認作業の多発に伴う防犯システムのコスト増を回避することができる等、極めて新規的有益なる効果を奏するものである。
【発明を実施するための最良の形態】
【０００７】
以下、図面に記載の発明を実施するための最良の形態に基づいて、この発明をより具体的に説明する。
ここで、図１は登下校時の防犯システムのブロック図、図２は登下校時の防犯システムにおける子供が携帯する防犯装置の概略外観図である。
【０００８】
図において、登下校時の防犯システムは、登下校する子供ａが携帯する防犯装置１と、警備会社の警備センターｂに設置されたコンピュータ２とによって主に構成され、防犯装置１とコンピュータ２の働きによって、子供ａが登下校時に事件事故に遭遇した場合には警報を発すると共に警備センターｂに通報できるのは勿論のこと、防犯システムの誤報や確認作業を現場まで出動することなく容易に判断でき、誤報や確認作業の多発に伴う防犯システムのコスト増を回避できる特徴を備えている。
【０００９】
登下校する子供ａが携帯する防犯装置１は、警備センターｂとの通話のための携帯電話機能１１と、けたたましい警報音を発する防犯警報機能１２と、切り替えることで静止画像又は動画像を撮影するカメラ機能１３と、位置を確認できるＧＰＳ機能１４とを備えた構造からなっている。また、防犯装置１には子供ａの例えばランドセルなどに取り付けるためのベルト１５が取り付けられている。
【００１０】
防犯装置１に装備された携帯電話機能１１は、これが装備され登下校する子供ａが携帯する防犯装置１と警備センターｂとを無線で通話できる専用の電話機で、通話ための送話器１１ａと受話器１１ｂを備えている。送話器１１ａは防犯装置１の上部に設けられていて、子供ａはこの防犯装置１の上部に向かって話すことで警備センターｂと通話できるようになっている。受話器１１ｂは送話器１１ａの隣に設けられている。子供ａは受話器１１ｂを耳に当てなくて離していても十分に警備センターｂの警備員の声を聞き取れるように、受話器１１ｂの音量は高く設定されている。なお、携帯電話機能１１の受話器１１ｂは防犯警報機能１２の拡声器１２ｂが兼用されることがある。
【００１１】
携帯電話機能１１は、警備センターｂ側の操作で警備センターｂ側から子供ａの防犯装置１側に向けて自動的に通話可能な状態になる。つまり子供ａは受信のためのスイッチを入れることなく通話可能となる。また防犯装置１側から警備センターｂに向けて通話可能にするためには後述する防犯警報機能１２の防犯スイッチ１２ａを入れることが必要となる。後述の防犯スイッチ１２ａは防犯警報機能１２のスイッチ機能と携帯電話機能１１の送信のためのスイッチ機能とを兼ねる。
【００１２】
防犯装置１に装備された防犯警報機能１２は、そのけたたましい警報音で不審者や犯罪者を驚かせて撃退させ、又その周囲に知らせる機能を果たすものである。防犯警報機能１２は防犯装置１の下半分側に設けられ、防犯警報機能１２をオンの状態にして作動させる防犯スイッチ１２ａが例えば防犯装置１の下端側に設けられている。防犯装置１の下半分側の表面には不審者や犯罪者またその周囲に向けてけたたましい警報音を発する拡声器１２ｂが設けられている。なお、拡声器１２ｂは携帯電話機能１１の受話器１１ｂを兼ねることがある。
【００１３】
防犯スイッチ１２ａは例えば下側に強く引っ張ることでスイッチが入り、拡声器１２ｂからけたたましい警報音が鳴り出す構造になっている。一度スイッチが入って警報音が鳴り出すと、警備センターｂ側でスイッチを切らない限り、この防犯装置１ではスイッチを切ることができない構造になっている。これは不審者や犯罪者がこの防犯装置１側で警報音を切れなくするためである。
【００１４】
また、防犯スイッチ１２ａが入り防犯警報機能１２が作動して、けたたましい警報音が鳴り出すと、携帯電話機能１１を利用しての警備センターｂとの通話が困難になるので、警備センターｂ側の操作で通話中は一時的に警報音を停止させることができるようになっている。通話が終わると警備センターｂ側でスイッチを切らない限り再びけたたましい警報音が鳴り出す構造になっている。
【００１５】
防犯装置１に装備されたカメラ機能１３は、静止画像又は動画像を撮影することができる機器で、防犯警報機能１２の防犯スイッチ１２ａを引っ張ることで作動させて撮影させることができる。カメラ機能１３のレンズは、防犯装置１の上半分側の正面側に設けられていて、正面側の被写体を撮影できるようになっている。また、警備センターｂ側からの操作でも作動させて撮影可能することができると共に静止画像又は動画像を写せるように切り替えることができる。
【００１６】
カメラ機能１３には送信機能があり、撮影された画像は無線通信により警備センターｂのコンピュータに自動的に送信される構造になっている。特にカメラ機能１３が作動して撮影し始めた当初は、数秒〜数十秒の間隔て静止画像を逐次撮影して防犯装置１の通信機能を通じて自動的に送信するように設定されている。
【００１７】
防犯装置１に装備されたカメラ機能１３が最初は静止画像を送信するように設定されているのは、警備センターｂのコンピュータの画面に最初から動画像が映し出されると、動画像では警備センターｂの警備員は目を離すことなく見続けることが必要となり、他の画面に視線を適宜移動させることができず、警備センターｂの一人の警備員が複数の画面を並行して見ることが困難になるためである。しかし、動画像は静止画像に比べて見やすいため、警備センターｂ側で静止画像から動画像に簡単に切り替えることができる。
【００１８】
子供ａが携帯する防犯装置１に装備されたカメラ機能１３は、子供ａの周囲を写し出すことでその状況を判断するのに利用できると共に、不審者や犯罪者を特定したり、事件事故現場を特定したり、車のナンバーなどを特定するのに有効な他に、例えば不審者に話しかけられたり、襲われそうになったり、拉致されそうになったりしても、カメラのレンズを不審者や犯罪者に向けることで、不審者や犯罪者はそのカメラによって顔が写されることを警戒して、それらの行為を止めて逃げ出すことも予想され、防犯的な機能を果たすことも考えられる。
【００１９】
防犯装置１に装備されたＧＰＳ機能１４は、防犯装置１を携帯する子供ａの現在の位置を特定するもので、２４個の衛星と地上の制御局を利用して計測する。４つ以上の衛星からの電波の到達時間の差によって防犯装置１を携帯する子供ａの現在位置を計測する。防犯装置１のＧＰＳ機能１４は子供ａの登下校時間帯には自動的に作動するように警備センターｂのコンピュータ２によって設定されている。
【００２０】
警備センターｂに設置されたコンピュータ２は、前記防犯装置１の携帯電話機能１１、防犯警報機能１２、カメラ機能１３及びＧＰＳ機能１４の各機能を制御する機能をそれぞれ備えている。
【００２１】
即ち、携帯電話機能１１はコンピュータ２からの指令情報により、作動して警備センターｂ側から防犯装置１に対して通話可能になったりこれを止めたりでき、防犯スイッチ１２ａを入れて防犯装置１側から警備センターｂ側に通話可能になった場合もこれを止めることができる。
【００２２】
防犯警報機能１２はコンピュータ２からの指令情報により、作動して警報音が鳴り出したりこれを止めたりでき、防犯スイッチ１２ａを入れて防犯警報機能１２が作動して警報音が鳴り出した場合にはコンピュータ２からの指令情報のみこれを解除できる。
【００２３】
カメラ機能１３はコンピュータ２からの指令情報により、静止画像の撮影を開始し、また静止画像から動画像への切り替えが自在にできる。ＧＰＳ機能１４はコンピュータ２からの指令情報により、子供ａの登下校の時間帯に作動し、学校が休日等の場合には作動が停止される。
【００２４】
警備センターｂに設置されたコンピュータ２には、ＧＰＳ機能１４からの現在の位置情報に基づき登下校時に子供ａが携帯する防犯装置１が所定の登下校コースの範囲内か否かを判断する登下校コース判断手段２１を備えている。登下校コース判断手段２１は、ＧＰＳ機能１４で測定される防犯装置１が決められた登下校コースの範囲の外側に外れたときにその判断情報を出す。
【００２５】
登下校コースの範囲は、子供ａの自宅と子供ａが通う学校を基準として、想定される登下校コースから例えば数百メートルの範囲内で決められるが、この範囲は子供ａの保護者及び学校などとの話し合いから決められ、決められた登下校コースの範囲の情報がコンピュータ２の登下校コース判断手段２１には入力されている。
【００２６】
また、警備センターｂに設置されたコンピュータ２には、ＧＰＳ機能１４からの位置情報に基づき登下校時に子供ａが携帯する防犯装置１が登下校時の危険箇所又は不審者情報箇所に接近中か否かを判断する登下校時危険判断手段２２を備えている。登下校時危険判断手段２２は、危険箇所又は不審者情報箇所を中心とする半径が例えば数十メートルの円を考え、その円内にＧＰＳ機能１４で測定される防犯装置１が入った場合に接近中との判断情報を出す。
【００２７】
また、警備センターｂに設置されたコンピュータ２には、ＧＰＳ機能１４からの位置情報に基づき登下校時に子供ａが携帯する防犯装置１が同一位置に一定時間以上滞在しているか否かを判断する登下校時同一位置滞在判断手段２３を備えている。この一定時間は保護者や学校との話し合いで決められ、決められた時間の情報がコンピュータ２の登下校時同一位置滞在判断手段２３には入力されている。登下校時同一位置滞在判断手段２３は、ＧＰＳ機能１４で測定される防犯装置１が決められた一定時間以上に同一位置に滞在しているときにその判断情報を出す。
【００２８】
また、警備センターｂに設置されたコンピュータ２には、登下校コース判断手段２１、登下校時危険判断手段２２、登下校時同一位置滞在判断手段２３又は前記防犯装置１から或いは当該コンピュータ２への手動入力からのいずれかの情報に基づき当該コンピュータ２の画面に前記防犯装置１を携帯する子供ａに関する情報例えば子供ａと保護者の氏名及び連絡先と現在の位置情報を表示器２７の画面を通じて表示させる第一次警戒発令手段２４を備えている。
【００２９】
このため、警備センターｂに設置されたコンピュータ２には例えば画面、音声、音、信号灯などを通じて各種の情報を表示する表示器２７が設けられている。この表示器２７には第一次警戒発令手段２４、第二次警戒発令手段２５及び第三次警戒発令手段２６から発せられる各種の情報を画像、音、信号灯などを通じて表示して、警備センターｂ内の警備員に知らせる。
【００３０】
登下校コース判断手段２１からの判断情報により第一次警戒発令手段２４が発令情報を出す場合としては、ＧＰＳ機能１４で測定される防犯装置１が決められた登下校コースの範囲の外側に外れたときである。
【００３１】
登下校時危険判断手段２２からの判断情報により第一次警戒発令手段２４が発令情報を出す場合としては、危険箇所又は不審者情報箇所を中心とする半径が例えば数十メートルの円を考え、その円内にＧＰＳ機能１４で測定される防犯装置１が入った場合である。
【００３２】
登下校時同一位置滞在判断手段２３からの判断情報により第一次警戒発令手段２４が発令情報を出す場合としては、ＧＰＳ機能１４で測定される防犯装置１が決められた一定時間以上に同一位置に滞在しているときである。
【００３３】
防犯装置１からの情報により第一次警戒発令手段２４が発令情報を出す場合としては、子供ａが防犯装置１の防犯警報機能１２の防犯スイッチ１２ａを引っ張ってスイッチを入れたときである。
【００３４】
コンピュータ２への手動入力からの情報により第一次警戒発令手段２４が発令情報を出す場合としては、子供ａの保護者又は学校から警備センターｂに連絡があり、警備センターｂの警備員がコンピュータ２に手動で入力したときである。このため、警備センターｂに設置されたコンピュータ２には警備員が必要な情報を適宜入力できる例えばキーボードや入力スイッチなどの入力器２８が設けられている。
【００３５】
また、警備センターｂに設置されたコンピュータ２には、第一次警戒発令手段２４からの情報に基づき登下校時に子供ａが携帯する防犯装置１を呼び出し且つ防犯装置１のカメラ機能１３を作動させて数秒から数十秒の間隔で撮影した複数の静止画像の情報を当該コンピュータ２に送信させる第二次警戒発令手段２５を備えている。防犯装置１のカメラ機能１３から送信された画像は警備センターｂ内に設置された表示器２７の画面を通じて表示される。
【００３６】
つまり第二次警戒発令手段２５は、第一次警戒発令手段２４からの発令情報により、登下校時に子供ａが携帯する防犯装置１に呼び出しをかけるため情報を発すると、防犯装置１にはその携帯電話機能１１を利用して音声で例えば１分間呼び出しが行われる。このため、警備センターｂに設置されたコンピュータ２には会話を通じて子供ａと無線連絡できる通話器２９が設けられている。通話器２９には送話器２９ａと受話器２９ｂが含まれる。この間に応答がないときには防犯警報機能１２を作動させて、けたたましい警報音を鳴らして例えば３分間の呼び出し音が続くことになる。
【００３７】
また、第二次警戒発令手段２５は、第一次警戒発令手段２４からの発令情報により、防犯装置１のカメラ機能１３を作動させるための情報を発すると、カメラ機能１３は数秒から数十秒の間隔で防犯装置１のレンズの前方について静止画像で撮影し、撮影した複数の静止画像の情報を当該コンピュータ２に送信することになる。
【００３８】
また、警備センターｂに設置されたコンピュータ２には、第二次警戒発令手段２５に対する登下校時に子供ａが携帯する防犯装置１からの一定時間以上非応答時に警備員の出動を発令する第三次警戒発令手段２６を備えている。
【００３９】
防犯装置１からの一定時間以上非応答時の時間としては、防犯装置１の携帯電話機能１１を利用して通話器２９で音声で呼びかける例えば１分間で、この間に応答がないときには防犯装置１の防犯警報機能１２を作動させて、けたたましい警報音を鳴らして呼びかける例えば３分間の合計４分間であるが、この時間を短くしたり長くしたりすることができる。
【００４０】
第三次警戒発令手段２６では、防犯装置１からの一定時間例えば携帯電話機能１１による１分間の音声による呼びかけ、これに続く防犯警報機能１２による例えば３分間のけたたましい警報音による呼びかけが続いても、子供ａからの応答がない場合には、警備員の出動の発令情報を発することになる。
【００４１】
第三次警戒発令手段２６による発令情報は例えばコンピュータ２の表示器２７の画面を通じて表示されることにより行われたり、或いは表示器２７の音声、警報音、警報灯などを通じて行われ、警備員は直ちに現場に出動することになる。
【００４２】
次に、上記発明を実施するための最良の形態の構成に基づく登下校時の防犯システムの取り扱いについて以下説明する。
【００４３】
（第一次警戒）
防犯装置１を携帯する子供ａが学校の登下校時に例えば次の（１）〜（４）の何れかの行動をとると、警備会社の警備センターｂのコンピュータ２の画面に自動的に、子供ａに関する情報例えば子供ａと保護者の氏名及び連絡先と、防犯装置１に組み込まれたＧＰＳ機能１４により子供ａが携帯する防犯装置１の位置とが表示される第一次警戒体制に入ることになる。第一次警戒体制に入ると警備センターｂの警備員はこの画面を注視すると共に子供ａとの連絡体制に入ることになる。
【００４４】
また、次の（５）の保護者又は学校から連絡があった場合には、警備センターｂの警備員が手動で入力器２８を通じてコンピュータ２に入力することで、警備会社の警備センターｂのコンピュータ２の表示器２７の画面に、子供ａに関する情報例えば子供ａと保護者の氏名及び連絡先、防犯装置１に組み込まれたＧＰＳ機能１４により子供ａが携帯する防犯装置１の位置が表示される第一次警戒体制に入ることになる。第一次警戒体制に入ると警備センターｂの警備員は表示器２７の画面を注視すると共に子供ａとの連絡体制に入ることになる。
【００４５】
子供ａの学校の登下校時の時間は、子供ａの保護者や子供ａが通う学校から指定される時間で、朝の登校時の時間としては例えば午前６時半〜８時半頃であり、午後の下校時の時間としては例えば午後２時〜６時頃である。学期末や遠足、その他学校の事業などでこれ以外の特別時間帯に変更になる場合には学校や保護者との連絡によって適宜変更されるのは勿論である。
【００４６】
子供ａが学校にいるときや自宅にいるときにはこの防犯装置１は自動的に機能を停止する。子供ａが学校にいるときには学校の先生によって保護され、自宅にいるときには保護者によって保護されており、事件事故に遭遇するおそれはないからである。また休日等の学校が休みのときも同様に機能を停止する。学校が休みのときは防犯装置１を携帯して子供ａが行動することは少ないと考えられ、又子供ａが防犯装置１を携帯していると考えられる場合でも例えば旅行、買い物、その他の場所に出かけることがあり、子供ａは登下校コースの範囲内から外れた行動を行うことになる。
【００４７】
（１）登下校コースの範囲内から外れる場合
事件で特に誘拐などの場合には登下校コースの範囲から外れることが予想されるからである。また、事故で例えば川などに落ちて流される場合も登下校コースの範囲から外れることも考えられる。この場合、コンピュータ２の登下校コース判断手段２１により自動的に判断されて子供ａが携帯する防犯装置１に連絡が入るようになっている。登下校コースの範囲は子供ａの自宅と子供ａが通う学校を基準として、想定される登下校コースから例えば数百メートルの範囲内とするが、この範囲は子供ａの保護者及び学校などとの話し合いから決められる。
【００４８】
この場合、子供ａは時として寄り道などの予想外の行動により、登下校コースの範囲から外れることもあるが、コンピュータ２の登下校コース判断手段２１により次の第二次警戒体制のもとで子供ａと連絡が取れたときには、子供ａが携帯する防犯装置１の携帯電話機能１１を利用して子供ａとの間での通話内容と送られてきた複数の静止画像或いは切り替えられた動画像から、警備センターｂの警備員は事件事故の発生の有無を出動することなく確認できるので、警備会社は確認のための無駄な出動が回避できることになる。警備センターｂの警備員は寄り道などの場合には子供ａと通話して早く学校に行くように或いは帰宅するように指導することもできる。
【００４９】
また、子供ａは塾やその他のお稽古のために、曜日によって下校コースの範囲から外れることもあるが、この場合には事前に保護者からの連絡によって、下校コースの範囲から外れる曜日や時間帯を確認してコンピュータ２にそのことを入力しておくことにより、警備会社は確認のための無駄な連絡や出動を回避できることになる。
【００５０】
（２）登下校時に危険箇所、不審者情報箇所に近づく場合
事故としては子供ａが危険箇所で遭遇することが十分に考えられるためである。危険箇所としては例えば河川、崖や工事現場などが考えられる。また、危険箇所としては以前から知られている恒常的に危ない箇所以外に、普段は危険でないのに或る時間帯になると危険になる箇所や、災害や突発事故などによってこれまで安全であった箇所が登下校時の時間帯に突然危険な箇所になることもある。危険箇所の場所とその時間帯は情報に基づきその都度コンピュータ２に入力される。
【００５１】
また、事件としては、最近、登下校時の子供ａが不審者に襲われたり、連れ去る事件もあり、子供ａが不審者に遭遇すると事件に巻き込まれる危険性が高くなるため、警察などから不審者情報があった場合には、不審者がいるとされる場所とその時刻には子供ａを近づけないことにより、子供ａが事件に巻き込まれるのを未然に防ぐことができる。不審者がいるとされる場所とその時刻は不審者情報に基づきその都度コンピュータ２に入力される。
【００５２】
登下校時の子供ａが危険箇所、不審者情報箇所に接近する場合、コンピュータ２の登下校時危険判断手段２２により自動的に判断されて子供ａが携帯する防犯装置１に連絡が入るようになっている。子供ａは危険箇所、不審者情報箇所に近づいているとは知らないので、子供ａが携帯する防犯装置１の携帯電話機能１１を利用して子供ａに通話して知らせることにより、危険箇所や不審者情報箇所に出動することなく子供ａがその箇所に近づくのを未然に防ぐことができるので、警備会社はこのための出動を回避できることになる。
【００５３】
（３）登下校時に塾などの特定場所以外に同じ場所に一定時間以上滞在する場合
事件に遭遇した場合には、動かなくなり同じ場所にいることになると考えられるからである。例えば、不審者と目があって子供ａが恐怖で動けなくなったり、犯罪者に襲われて怪我して動けなくなったり、犯罪者に襲われて死亡して動かなくなったり、また犯罪者に拉致監禁された場合も動けなくなり同じ場所にいることが多いと考えられる。
【００５４】
事故に遭遇した場合にも、動かなくなり同じ場所にいることになると考えられるからである。例えば、事故にあって子供ａが怪我して動けなくなったり、事故により子供ａが死亡して動かなくなったり、また事故にあってその恐怖によって動けなくなり同じ場所にいることが考えられる。
【００５５】
事件事故に遭遇しない場合でも、子供ａは例えば友達との待ち合わせのために、或いは帰り道の途中で遊んだりして、同じ場所に一定時間以上滞在することもある。この場合、コンピュータ２の登下校時同一位置滞在判断手段２３により自動的に判断されて子供ａが携帯する防犯装置１に連絡が入るようになっている。また、コンピュータ２の登下校時同一位置滞在判断手段２３により次の第二次警戒体制のもとで子供ａと連絡が取れたときには、子供ａが携帯する防犯装置１の携帯電話機能１１を利用して子供ａとの間での通話内容と送られてきた複数の静止画像或いは切り替えられた動画像から、警備センターｂの警備員は事件事故の発生の有無を出動することなく確認できるので、警備会社は確認のための無駄な出動を回避できることになる。この場合には警備センターｂの警備員は子供ａと通話して早く学校に行くように或いは帰宅するように指導することもできる。
【００５６】
同じ場所に滞在する一定時間としては例えば１０分であるが、この一定時間は保護者や学校との話し合いで決める。朝の登校時には学校に遅刻しないように同じ場所に滞在する時間は短いと考えられ、午後の下校時は急いで帰宅する必然性はないから友達と遊んだり寄り道のために同じ場所に滞在する時間が長くなると考えられる。このため、朝の一定時間に対して午後の一定時間をこれよりも少し長くすることも考えられる。
【００５７】
また、子供ａは塾やその他のお稽古のために、曜日によって同じ場所に一定時間以上滞在することもあるが、この場合には事前に保護者からの連絡によって、同じ場所に一定時間以上滞在する曜日や時間帯を確認して警備センターｂのコンピュータ２にそのことを入力しておくことにより、警備会社は確認のための無駄な連絡や出動を回避できることになる。
【００５８】
（４）防犯装置のスイッチが入れられた場合
事件事故に遭遇した場合には携帯する防犯装置１の防犯スイッチ１２ａを入れるように指導しているので、防犯スイッチ１２ａが入れられることは子供ａが事件事故に遭遇していることが考えられる。しかし、誤報つまり子供ａの誤った操作により或いは悪戯で防犯装置１の防犯スイッチ１２ａを入れることも多分にある。誤報の場合に確認もせずに警備員を現場までその都度出動させることは無駄であるばかりでなく、そのための余分な人員を確保しなければならず、防犯システムのコスト増を招くことになる。
【００５９】
この場合において、次の第二次警戒体制のもとで子供ａと連絡が取れたときには、子供ａが携帯する防犯装置１の携帯電話機能１１を利用して子供ａとの間での通話内容と送られてきた複数の静止画像或いは切り替えられた動画像から、誤報つまり子供ａが誤って防犯スイッチ１２ａを入れたり悪戯で入れたことを警備センターｂの警備員は確認できるので、事件事故の発生の有無や誤報の有無を出動することなく確認でき、警備会社は確認のための無駄な出動を回避できることになる。誤報が確認された場合には通信機能を利用して子供ａが携帯する防犯装置１のスイッチは解除される。
【００６０】
（５）保護者又は学校から連絡があった場合
前記（１）〜（４）以外で保護者又は学校から子供ａが未だ学校に行っていない、或いは未だ帰宅していないとの連絡が入ることもある。子供ａが他人によって登下校コースの範囲内で同じ場所に一定時間滞在することなく無理矢理に連れ回されることも考えられ、これをそのままほっとくと事件事故に繋がるおそれもある。また、子供ａは虐めなどにより時として学校に行きたくないこともあり、また家庭環境によって帰宅したくないこともあり、その範囲内で徘徊することも考えられるが、これをそのままほっとくと非行にはしり事件事故に繋がるおそれもある。
【００６１】
この場合において、次の第二次警戒体制のもとで子供ａと連絡が取れたときには、子供ａが携帯する防犯装置１の携帯電話機能１１を利用して子供ａとの間での通話内容と送られてきた複数の静止画像或いは切り替えられた動画像から、警備センターｂの警備員は事件事故の発生の有無が出動することなく確認できるので、警備会社は確認のための無駄な出動を回避できることになる。学校に行きたくなかったり帰宅したくない場合には警備センターｂの警備員は子供ａと通話して早く学校に行くように或いは帰宅するように指導することもできる。
【００６２】
（第二次警戒）
前記（１）〜（５）のケースによって第一次警戒体制に入ると、警備会社の警備センターｂのコンピュータ２は、自動的に対象者の子供ａが携帯する防犯装置１に声による呼び出しを行うと共に、防犯装置１に装備されたカメラ機能１３を自動的に作動させて数秒〜数十秒の間隔でカメラ機能１３を通じて静止画像を逐次撮影させて、これを防犯装置１の無線通信機能を利用して警備センターｂのコンピュータ２に送信させる第二次警戒体制に移行する。
【００６３】
警備センターｂのコンピュータ２は受信した複数の静止画像を表示器２７を通じて画面に表示する。警備センターｂの警備員は表示器２７の画面を注視して送信されてきた複数の静止画像を見ながら、子供ａからの応答を待つ。防犯装置１に声による呼び出しを行う時間としては例えば数十秒或いは１分程である。防犯装置１に声による呼び出しで応答がない場合には防犯警報機能１２が自動的に作動して、防犯装置１の拡声器１２ｂからけたたましい警報音が鳴り出す。
【００６４】
子供ａが騒がしい場所にいる場合や防犯装置１を置いて遊んでいる場合には、防犯装置１の声による呼び出しが聞こえないことが考えられる。また、事件事故に巻き込まれて子供ａの注意が別に向いているときも聞こえないことがある。さらに子供ａが事件に巻き込まれて防犯装置１の声は聞こえるが応答できなかったり、最悪の場合には犯罪者に防犯装置１を取りあげられて応答できないことも考えられる。
【００６５】
そこで、防犯装置１に声による一定時間の呼び出しでは応答がない場合には、子供ａが携帯する防犯装置１の防犯警報機能１２が自動的に作動して、防犯装置１の拡声器１２ｂからけたたましい警報音が鳴り出して防犯装置の周囲に突然高い音量が響く。警報音はかなり高いので、子供ａが騒がしい場所や防犯装置１から少し離れた場所にいても、或いは事件事故に巻き込まれて子供ａの注意が別に向いていても、子供ａ又は子供ａの周囲の人が容易に気付き、子供ａは防犯装置１の携帯電話機能１１を通じて応答ができることになる。
【００６６】
また、子供ａが事件に巻き込まれて応答できない場合、例えば不審者に話しかけられたり、襲われそうになったり、拉致されそうになったり、犯罪者に防犯装置１を取りあげられたりしている場合に、子供ａの携帯する防犯装置１から突然に高い警報音が周囲に鳴り響くために、不審者や犯罪者はその警報音に驚いてたじろぎ、それらの行為を止めて逃げ出すことが考えられる。又子供ａが周囲の大人に事件に遭遇しているのを知らせることができない場合に、周囲の大人はその警報音によって自然に注意が子供ａに向くことになり、防犯的な機能を果たすことが可能となる。
【００６７】
防犯装置１に装備されたカメラ機能１３は、作動し始めた当初は数秒〜数十秒の間隔で静止画像を逐次撮影して防犯装置の通信機能を通じて自動的に送信する。しかし、警備センターｂのコンピュータ２の画面に映し出された静止画像を注視する警備員がこれでは事件事故の有無の確認が十分にできないと判断した場合には、入力器２８の操作を通じて静止画像を動画像に切り替えることができるようになっている。
【００６８】
警備センターｂのコンピュータ２を切り替えると通信機能を通じて防犯装置１のカメラ機能１３は静止画像から動画像に自動的に切り替えられることになり、防犯装置１からは動画像が送信されて警備センターｂのコンピュータ２の表示器２７の画面には動画像が表示されることになる。警備センターｂの警備員は動画像を注視することにより静止画像に比べて事件事故の有無の判断が容易となる。
【００６９】
前記（１）の登下校コースの範囲内から外れている場合において、子供ａと連絡が取れてその通話内容と送られてきた複数の静止画像或いは切り替えられた動画像から、警備センターｂの警備員が事件事故に遭遇していないことを確認できたときには、子供ａにそのことを知らせて、早く学校に行くように或いは早く帰宅するように諭す。警備会社の警備員は事件事故の発生の有無を出動することなく確認できるので、警備会社は確認のための無駄な出動を回避できることになる。
【００７０】
子供ａと連絡が取れてその通話内容と送られてきた複数の静止画像或いは切り替えられた動画像から、前記（２）の登下校時に危険箇所、不審者情報箇所に近づく場合には、警備センターｂの警備員は子供ａにそのことを知らせて、その危険箇所又は不審者情報箇所に近づかないように指導してこれらの箇所から子供ａを遠ざける。子供ａが自力でその危険箇所又は不審者情報箇所から離れるのが困難と判断した場合には、警備員を出動させて子供ａを安全な場所、或いは学校や自宅まで送る。警備センターｂの警備員は事件事故の発生の有無を出動することなく確認できるので、警備会社は確認のための無駄な出動を回避できることになる。
【００７１】
前記（３）の登下校時に塾などの特定場所以外に同じ場所に一定時間以上滞在する場合において、子供ａと連絡が取れてその通話内容と送られてきた複数の静止画像或いは切り替えられた動画像から、警備センターｂの警備員が事件事故に遭遇していないことを確認できたときには、子供ａにそのことを知らせて、早く学校に行くように或いは早く帰宅するように諭す。警備センターｂの警備員は事件事故の発生の有無を出動することなく確認できるので、警備会社は確認のための無駄な出動を回避できることになる。
【００７２】
前記（４）の防犯装置１の防犯スイッチ１２ａが入れられた場合において、子供ａと連絡が取れてその通話内容と送られてきた複数の静止画像或いは切り替えられた動画像から、誤報つまり子供ａが誤って防犯スイッチ１２ａを引っ張って入れたり悪戯で入れたことを警備センターｂの警備員が確認できたときには、通信機能を利用して子供ａが携帯する防犯装置１のスイッチを解除する。悪戯で防犯装置１の防犯スイッチ１２ａをいれた場合には今後このようなことをしないように通話を通じて厳しく指導する。子供ａが言うことを聞かないと判断した場合には、警備員を出動させて子供ａを厳しく叱ると共に学校や自宅まで送る。警備会社の警備員は事件事故の発生の有無や誤報の有無を出動することなく確認できるので、警備会社は確認のための無駄な出動を回避できることになる。
【００７３】
前記（５）の保護者又は学校から連絡があった場合において、子供ａと連絡が取れてその通話内容と送られてきた複数の静止画像或いは切り替えられた動画像から、警備センターｂの警備員が事件事故に遭遇していないことを確認できたときには、子供ａにそのことを知らせて、早く学校に行くように或いは早く帰宅するように諭す。子供ａが言うことを聞かないと判断した場合には、警備員を出動させて子供ａを学校や自宅まで送る。警備会社の警備員は事件事故の発生の有無を出動することなく確認できるので、警備会社は確認のための無駄な出動を回避できることになる。
【００７４】
（第三次警戒）
前記の第二次警戒体制のもとで、防犯装置１に声による呼び出し、その後の防犯警報機能１２のけたたましい警報音による呼び出しにも応答がない場合には、警備会社の警備センターｂのコンピュータ２は、自動的に警備員に出動命令を表示器２７の画面を通じて表示或いは音声、警報音、警報灯などを通じて知らせる第三次警戒体制に移行する。警備員は直ちに現場に出動することになる。警報音による呼び出し時間としては数分間例えば３分間である。
【００７５】
また、前記の第二次警戒体制のもとで、子供ａと連絡が取れてその通話内容と送られてきた複数の静止画像或いは切り替えられた動画像から、警備センターｂの警備員が事件事故に遭遇している可能性が高いと判断した場合は警備センターｂのコンピュータ２の入力器２８を通じて手動で入力すると第三次警戒体制に移行し、警備センターｂのコンピュータ２は警備員に出動命令を表示器２７の画面を通じて表示或いは音声、警報音、警報灯などを通じて知らせることになり、警備員は直ちに現場に出動することになる。
【００７６】
なお、この発明は上記発明を実施するための最良の形態に限定されるものではなく、この発明の精神を逸脱しない範囲で種々の改変をなし得ることは勿論である。
【図面の簡単な説明】
【００７７】
【図１】この発明を実施するための最良の形態を示す登下校時の防犯システムのブロック図である。
【図２】この発明を実施するための最良の形態を示す登下校時の防犯システムにおける子供が携帯する防犯装置の概略外観図である。
【符号の説明】
【００７８】
１    防犯装置
１１    携帯電話機能
１１ａ  送話器
１１ｂ  受話器
１２    防犯警報機能
１２ａ  防犯スイッチ
１２ｂ  拡声器
１３    カメラ機能
１４    ＧＰＳ機能
１５    ベルト
２    コンピュータ
２１    登下校コース判断手段
２２    登下校時危険判断手段
２３    登下校時同一位置滞在判断手段
２４    第一次警戒発令手段
２５    第二次警戒発令手段
２６    第三次警戒発令手段
２７    表示器
２８    入力器
２９    通話器
２９ａ  送話器
２９ｂ  受話器
ａ    子供
ｂ    警備センター
【図１】
2008090602.tif 000003
【図２】
2008090602.tif 000004